(57)【要約】【課題】従来電話装置において、あらかじめ、録音しておいた音声メッセージを、所定の時刻になると通話相手に自動発信し、音声メッセージを通知する技術が開示されている。しかし、この技術では、音声メッセージ通知が複数存在する場合を考慮していないし、また、通話相手を予め登録しておく必要があり、例えば通話中に、通話相手を特定する場合を考慮していない。【解決手段】通話中に発信予約が可能な電話装置であって、通話中に1以上の電話番号を指定する情報を受付けた場合に前記1以上の電話番号への発信を予約する通話中発信予約手段と、前記通話中の呼の切断を検出すると前記通話中発信予約手段に予約されている前記1以上の電話番号への発信操作に係わる情報を表示する予約発信情報表示手段または前記1以上の電話番号へ順次に自動発信する自動予約発信手段と、を有することを特徴とする。【選択図】図２
2012090076.tif 000002
【特許請求の範囲】
【請求項１】
通話中に発信予約が可能な電話装置であって、
通話中に1以上の電話番号を指定する情報を受付けた場合に前記1以上の電話番号への発信を予約する通話中発信予約手段と、
前記通話中の呼の切断を検出すると前記通話中発信予約手段に予約されている前記1以上の電話番号への発信操作に係わる情報を表示する予約発信情報表示手段または前記1以上の電話番号へ順次に自動発信する自動予約発信手段と、
を有することを特徴とする通話中発信予約機能を有する電話装置。
【請求項２】
請求項１に記載の電話装置であって、
自電話装置は音声メッセージを録音する音声メッセージ録音手段をさらに有し、予め定められた特定操作が為された場合に、
前記自動予約発信手段は、前記1以上の電話番号へ順次に自動発信すると共に、前記自動発信に応答した相手に対して前記音声メッセージ録音手段が録音した音声メッセージを送信することを特徴とする通話中発信予約機能を有する電話装置。
【請求項３】
請求項２に記載の電話装置であって、
定型音声メッセージを登録する定型音声メッセージ登録手段をさらに有し、予め定められた特定操作が為された場合に、
前記自動予約発信手段は、前記1以上の電話番号へ順次に自動発信すると共に、前記定型音声メッセージ登録手段に登録されている定型音声メッセージと前記自動発信に応答した相手に対して前記音声メッセージ録音手段が録音した音声メッセージを送信することを特徴とする通話中発信予約機能を有する電話装置。
【請求項４】
請求項１に記載の電話装置であって、
前記予約発信情報表示手段は、前記通話中発信予約手段に予約されている前記1以上の電話番号に係わる情報を表示し、前記表示している電話番号への発信が為される毎に、前記発信が為された電話番号の表示を消すまたは発信済みである旨の表示をすることを特徴とする通話中発信予約機能を有する電話装置。
【発明の詳細な説明】
【技術分野】
【０００１】
本発明は、発信予約機能を具備する電話装置に関し、特に通話中に発信予約を登録して自動発信する技術に関する。
【背景技術】
【０００２】
従来電話装置において、複数の相手に会議やゴルフコンペの日時などの約束事を行う場合、日時の取り決めがまとまらないと、一度電話を切った相手に電話をかけ直したり、日時がまとまると複数の人に電話をかけ直さなければならず不便であった。
【０００３】
特許文献１には、あらかじめ、録音しておいた音声メッセージを、所定の時刻になると通話相手に自動発信し、音声メッセージを通知する技術が開示されている。
【特許文献１】特開平５−３２７８６０号公報
【発明の概要】
【発明が解決しようとする課題】
【０００４】
しかしながら、特許文献１の技術は、音声メッセージ通知が複数存在する場合を考慮していない。また、通話相手を予め登録しておく必要があり、例えば通話中に、通話相手を特定する場合を考慮していない。
【０００５】
本発明は上記事情に鑑みて為されたものであり、本発明の目的は、通話中に発信予約の操作を受付け、複数の通話相手にメッセージを伝えることが可能な電話装置を提供することを目的とする。
【課題を解決するための手段】
【０００６】
上記課題を解決するために本発明の第一の発明は、通話中に発信予約が可能な電話装置であって、通話中に1以上の電話番号を指定する情報を受付けた場合に前記1以上の電話番号への発信を予約する通話中発信予約手段と、前記通話中の呼の切断を検出すると前記通話中発信予約手段に予約されている前記1以上の電話番号への発信操作に係わる情報を表示する予約発信情報表示手段または前記1以上の電話番号へ順次に自動発信する自動予約発信手段と、を有することを特徴とする。
【０００７】
上記課題を解決するために本発明の第二の発明は、前記電話装置であって、自電話装置は音声メッセージを録音する音声メッセージ録音手段をさらに有し、予め定められた特定操作が為された場合に、前記自動予約発信手段は、前記1以上の電話番号へ順次に自動発信すると共に、前記自動発信に応答した相手に対して前記音声メッセージ録音手段が録音した音声メッセージを送信することを特徴とする。
【０００８】
上記課題を解決するために本発明の第三の発明は、前記電話装置であって、定型音声メッセージを登録する定型音声メッセージ登録手段をさらに有し、予め定められた特定操作が為された場合に、前記自動予約発信手段は、前記1以上の電話番号へ順次に自動発信すると共に、前記定型音声メッセージ登録手段に登録されている定型音声メッセージと前記自動発信に応答した相手に対して前記音声メッセージ録音手段が録音した音声メッセージを送信することを特徴とする通話中発信予約機能を有する電話装置を特徴する。
【発明の効果】
【０００９】
本発明の第一の発明によれば、通話相手を予め登録しておく必要がなく、通話中に発信予約操作を受け付け、複数の相手に自動発信することができる。
【００１０】
本発明の第二と第三の発明によれば、通話中に相手との取り決め事を録音した音声メッセージと予め登録されている定型音声メッセージを複数の相手に自動発信し、順次メッセージを伝えることができる。
【図面の簡単な説明】
【００１１】
【図１】本発明の電話装置の構成図である。
【図２】本発明の電話装置のブロック図である。
【図３】本発明の電話装置の定型音声メッセージ記憶部１１３に蓄積されている定型音声メッセージテーブルである。
【図４】本発明の電話装置の発信予約記憶部１１１に蓄積されている発信予約テーブルである。
【図５】本発明の電話装置の全体フローチャートである。
【図６】本発明の電話装置の発信予約受付処理のフローチャートである。
【図７】本発明の電話装置の音声メッセージ録音処理のフローチャートである。
【図８】本発明の電話装置の自動発信処理のフローチャートである。
【発明を実施するための形態】
【００１２】
以下に本発明の実施の形態を、図面を参照しながら説明する。まず、図１を用いて本発明の構成について説明する。
本発明の電話装置１は、ハンドセット通話するためのハンドセット１０６と、ハンドフリー通話するためのスピーカ１０５とマイク１０４と、発信予約した電話番号を表示するための表示器１０９と、発信予約電話番号などを登録するキー入力部１０７とで構成される。
【００１３】
尚、キー入力部１０７はダイヤルキー（１〜９、０、＊、＃）１０７−１と発信予約キー１０７−２と録音キー１０７−３と決定キー１０７−４と停止キー１０７−５とスピーカキー１０７−６とで構成される。
【００１４】
図２を用いて、本発明のハードウエアのブロック構成について説明する。
主制御部１０１は、回線制御部１０３、発信予約管理部１１０、表示器制御部１０８、キー入力部１０７、音声通信制御部１０２、録音・再生制御部１１４、定型音声メッセージ制御部１１２に接続し、本電話装置の処理全般を制御するとともに、接続する他のブロック部を制御する。
【００１５】
回線制御部１０３は、回線網に接続され、発信や通話、切断、着信等の回線網を制御する。
表示器制御部１０８は発信予約した電話番号、定型音声メッセージの選択、発信した電話番号を表示器１０９に表示させる。
【００１６】
キー入力部１０７は、回線網へ発信する時や、発信予約する電話番号を登録する時、音声メッセージを録音する時、定型音声メッセージを選択する時に主制御部１０１へキー情報を送信する。
【００１７】
音声通信制御部１０２は、通話となった時にマイク１０４やハンドセット１０６からの音声を回線制御部１０３へ送信し、回線からの音声を回線制御部１０３を通してスピーカ１０５やハンドセット１０６に送信し、回線との通話を制御する。また、通話中の音声を録音・再生制御部１１４に送信し音声メッセージ記憶部１１５に格納する。
【００１８】
また、録音・再生制御部１１４は音声メッセージ記憶部１１５に録音された音声メッセージを取り出し、回線制御部１０３から回線網へ送信する。また、定型音声メッセージ制御部１１２は定型音声メッセージ記憶部１１３に格納された定型音声メッセージを取り出し、回線制御部１０３から回線網へ送信する。
【００１９】
ダイヤルキー（１〜９、０、＊、＃）１０７−１の所定の操作により定型音声メッセージ登録モードとすることが出来る。この登録モードでは、マイク１０４から音声メッセージを入力すると、音声通信制御部１０２を通して定型音声メッセージ制御部が、定型音声メッセージ記憶部１１３に入力された該音声メッセージを格納し定型音声メッセージの登録を完了する。
【００２０】
尚、定型音声メッセージ記憶部１１３には予めシステム構築時に定型音声メッセージをデジタルデータとして格納して置く方法もある。
【００２１】
発信予約管理部１１０は、キー入力部１０７から送られてくる電話番号を発信予約記憶部１１１に格納する。また、自動発信するときには、発信予約記憶部１１１に格納されている予約先電話番号を主制御部１０１に通知する。通知を受け主制御部１０１は該回線制御部１０３を通して該予約先電話番号あてに回線網へ発信するとともに、表示器制御部１０８にて表示器１０９に該予約先電話番号を表示する。
【００２２】
図３は、電話装置１の定型音声メッセージ記憶部１１３に蓄積されている、定型音声メッセージテーブル３００である。
【００２３】
図４は、電話装置１の発信予約記憶部１１１に蓄積されている、発信予約テーブル４００である。
【００２４】
図５を用いて本発明の処理に全体ついて説明する。尚、本フローは着信に応答した時と、発信して相手が応答した時に開始する。
【００２５】
本フローは着信に応答した時または発信して相手が応答した時にスタートし、電話装置１が、呼接続にて通話を開始する（Ｓ５０１）。そして、電話装置１は、通話中に発信予約キー１０７−２操作を受け付けると（Ｓ５０２ＹＥＳ）、後述する発信予約受付処理を実行する（Ｓ５０４）。また、録音キー１０７−３操作を受け付けると（Ｓ５０５ＹＥＳ）、後述する音声メッセージ録音処理を実行する（Ｓ５０６）。そして、音声メッセージ録音処理を実行すると電話装置１は終話操作を待つ（Ｓ５０７）。終話操作があると（Ｓ５０７ＹＥＳ）、終話処理を実行し（Ｓ５０８）、後述する自動発信処理を実行する（Ｓ５０９）。
【００２６】
発信予約キー１０７−２操作を受け付けない状態で（Ｓ５０２ＮＯ）、終話操作があった場合（Ｓ５０３ＹＥＳ）、ステップ５０８に進む。
尚、この場合発信予約登録部１１１に予約先電話番号登録が登録されていないため、自動発信処理（Ｓ５０９）は実行しない。
尚、発信予約キー１０７−２操作受付（Ｓ５０２）と録音キー１０７−３操作受付（Ｓ５０５）の処理の順番は、逆であっても良い。
【００２７】
図６を用いて本発明の発信予約受付処理（図５のＳ５０４）について説明する。尚、本フローは図５で発信予約キー１０７−２操作を受け付ける（Ｓ５０２ＹＥＳ）とともに開始する。
【００２８】
発信予約キー１０７−２が操作されると、新たな発信予約の要求と判断し、新たな発信予約テーブル４００を生成し、該テーブルの発信順領域４０１を１としてレコードを追加し発信予約登録モードになる（Ｓ６０１）。ダイヤルキー１０７−１にて電話番号を受け付けると（Ｓ６０２）、電話番号を表示器に表示し決定キー１０７−５操作を受け付けると（Ｓ６０３）、新たに生成した発信予約テーブル４００の発信順１のレコードの予約先電話番号領域４０２に電話番号情報を格納し（Ｓ６０４）、表示器１０９に発信予約テーブル４００を表示する（Ｓ６０５）。
【００２９】
停止キー１０７−５操作を受け付けると（Ｓ６０６ＹＥＳ）、発信管理予約部１１０を起動し、発信予約記憶部１１１に該電話番号の格納された発信予約テーブル４００を登録して図５のフローに戻る。停止キー１０７−５操作を受け付けない場合（Ｓ６０６ＮＯ）、発信順＋１のレコードを順次追加し（Ｓ６０７）、発信予約登録モードを継続する。尚、電話帳機能や発信履歴、着信履歴機能を有する電話装置では前記機能から電話番号を登録させても良い。
【００３０】
図７を用いて本発明の音声メッセージ録音処理（図５のＳ５０６）について説明する。尚、本フローは図５で録音キー１０７−３操作を受け付ける（Ｓ５０５ＹＥＳ）とともに開始する。
【００３１】
録音キー１０７操作を受けると、主制御部１０１は、音声通信制御部１０２に指示して、音声通信制御部１０２に送られてくるマイク１０４やハンドセット１０６からの音声と回線網からの音声を録音・再生制御部１１４に転送させ、該録音・再生制御部１１４は該転送されてきた音声を音声メッセージ記憶部１１５に格納する（Ｓ７０１）。そして、音声メッセージの録音が開始され、主制御装置１０１が停止キー１０７−５操作を受け付けると（Ｓ７０２ＹＥＳ）、音声通信制御部１０２に指示して、上記音声メッセージの録音を停止する（Ｓ７０３）。
【００３２】
引き続き主制御部１０１は、定型音声メッセージ記憶部１１３に格納されている定型音声メッセージテーブル３００の一覧を取り出し、表示器１０９に表示する（Ｓ７０４）。表示器１０９に表示された定型音声メッセージの中から、ユーザが所望の定型音声メッセージを選択し、ダイヤルキー１０７−１操作を行うと、主制御部１０１はこの操作を受け付けると（Ｓ７０５ＹＥＳ）、選択された定型音声メッセージ番号を、発信予約記憶部１１１の発信予約テーブル４００の定型音声メッセージ番号４０３領域に登録する（Ｓ７０７）。
【００３３】
ダイヤルキー１０７−１操作を受け付けず（Ｓ７０５ＮＯ）、決定キー１０７−４操作を受け付けた場合は、定型音声メッセージを選択しないと判断し定型音声メッセージ番号を登録せずに処理を終了する。
【００３４】
図８を用いて本発明の自動発信処理（図５のＳ５０９）について説明する。尚、本フローは図５で終話操作を受け付け（Ｓ５０７ＹＥＳ）、終話処理（Ｓ５０８）した後に引き続き開始される。
【００３５】
終話処理（Ｓ５０８）が終了すると該通話中に登録された発信予約テーブル４００の発信順４０１の１のレコードを参照し（Ｓ８０１）、予約先電話番号４０２に電話番号が「あり」の場合（Ｓ８０２ＹＥＳ）、表示器１０９に発信予約テーブル４００に登録された予約先電話番号の一覧を表示し（Ｓ８０３）、発信順４０１欄が「１」のレコードの予約先電話番号４０２欄の電話番号を読み出し、該電話番号宛にへ発信し、表示器１０９に該予約先電話番号に発信済みであることを表示する（Ｓ８０４）。予約先電話番号４０２欄に電話番号が登録されていなかった場合（Ｓ８０２ＮＯ）は図５のフローに戻る。
【００３６】
ステップ８０４で予約先電話番号に発信した後、規定の呼出し時間内に回線制御部１０３が回線網より相手応答を検知するのを待つ（Ｓ８０５、Ｓ８１１）。規定の呼出し時間内に相手応答を検知すると（Ｓ８０５ＹＥＳ）、主制御部１０１に該相手応答が通知され、通知を受けた主制御部１０１は、処理中の該発信テーブル４００の定型音声メッセージ番号４０３欄に番号が登録されているかどうかを確認する（Ｓ８０６）。定型音声メッセージ番号の登録があった場合（Ｓ８０６ＹＥＳ）、定型音声メッセージ制御部１１２を起動し、該番号に対応する定型音声メッセージを定型音声メッセージ記憶部１１３より取り出し、音声通信制御部１０２を経て回線制御部１０３を通して、通話相手に再生する（Ｓ８０７）。
【００３７】
定型音声メッセージ番号の登録がない場合（Ｓ８０６ＮＯ）またはステップ８０７で定型音声メッセージの再生が終了すると、主制御部１０１は、録音・再生制御部１１４を起動して、さきに音声メッセージ記憶部１１５に録音した音声メッセージを取り出し、音声通信制御部１０２を経て回線制御部１０３を通して、通話相手に再生する（Ｓ８０８）。
【００３８】
再生後、通話相手の通話切断を検知（Ｓ８０９ＹＥＳ）または所定の時間が経過（尚、図では通話切断タイマのタイムアウトと呼称）すると（Ｓ８１０ＹＥＳ）、回線を切断する（Ｓ８１２）。そして、ステップ８０４で発信した電話番号がさらに発信予約テーブル４００の最終レコードか否かを判定する（Ｓ８１３）。最終レコードでなかった場合（Ｓ８１３ＮＯ）、発信順４０１欄を「発信順＝発信順＋１」とし、新たなレコードを参照し（Ｓ８１４）、ステップ８０２に移行し、最終レコードになるまで当該電話番号宛の自動発信および音声メッセージ再生を繰り返す。
【００３９】
また、ステップ８１１で規定の呼出し時間が経過すると（Ｓ８１１ＹＥＳ）、ステップ８１２に移行する。
【００４０】
発信予約テーブル４００が最終レコードで、次の発信順位の予約電話番号４０２が存在しない場合には（Ｓ８１３ＹＥＳ）、図５のフローに戻る。
【符号の説明】
【００４１】
１…電話装置、１０１…主制御部、１０２…音声通信制御部、１０３…回線制御部、１０４…マイク、
１０５…スピーカ、１０６…ハンドセット、１０７…キー入力部、１０８…表示器制御部、１０９…表示器、１１０…発信予約管理部、１１１…発信予約記憶部、１１２…定型音声メッセージ制御部、１１３…定型音声メッセージ記憶部、１１４…録音・再生制御部、１１５…音声メッセージ記憶部
３００…定型音声メッセージテーブル、３０１…定型音声メッセージ番号、３０２…定型音声メッセージ（文字・音声記憶）、４００…発信予約テーブル、４０１…発信順、４０２…予約先電話番号、４０３…定型音声メッセージ番号
【図１】
2012090076.tif 000003
【図２】
2012090076.tif 000004
【図３】
2012090076.tif 000005
【図４】
2012090076.tif 000006
【図５】
2012090076.tif 000007
【図６】
2012090076.tif 000008
【図７】
2012090076.tif 000009
【図８】
2012090076.tif 000010